(57)【特許請求の範囲】
【請求項１】
一方側に接続用金具を有し、他方側にその接続用金具と反対方向に開口する挿入孔を有する直線状のクランプ部を有する圧縮クランプを用いて、前記接続用金具を電柱に設けられた耐張がいしのピンに接続した状態で緊線装置により緊線して、前記クランプの挿入孔に配電線の芯線を挿入し、かつ、そのクランプ部を圧縮して、前記配電線と前記クランプ部とを締結する際に用いられる緊線装置取付用金具であって、
前記耐張がいしのピンとそのピンに接続した状態の前記接続用金具とを挿入して前記クランプ部を後記アームと平行な姿勢に保持するポケットを有する保持部と、
前記ポケットに挿入された前記接続用金具の脱落を防止する脱落防止具と、
前記保持部から前記クランプ部の端部側に延長し、その先端に前記緊線装置を取り付けるための取付部を有するアームとからなり、
前記配電線の芯線を前記圧縮クランプに挿入後、前記圧縮クランプを圧縮してから、前記脱落防止具を開いて前記緊線装置を取外すことを特徴とする緊線装置取付用金具。
【発明の詳細な説明】
【０００１】
【発明の属する技術分野】
本発明は、配電線を緊線装置により耐張がいしとの間に緊線し、その配電線の端部と圧縮クランプとを圧縮締結して配電線を耐張がいしに接続するときに用いられる緊線装置取付用金具に関する。
【０００２】
【従来の技術】
従来、配電線を電柱に設けられている耐張がいしに接続するには、ボルト締付型又はクサビ型の引留クランプが用いられていたが、この引留クランプは、大型であるので、その引留クランプを絶縁カバーで覆ったとき、あたかも電柱に烏が止まっているように見えて街の美観（景観）が損なわれるとともに、コスト高になるので、引留クランプよりも小型の配電線用の圧縮クランプが提案されている。
【０００３】
この提案に係る配電線用の圧縮クランプは、一方側に電柱に設けられた耐張がいしに接続するための接続用金具を有するとともに、他方側に配電線の芯線を挿入し得る直線状のクランプ部を有し、クランプ部に配電線の芯線を挿入した後、そのクランプ部を圧縮してクランプ部と芯線とを締結することにより、配電線に接続されるように構成されている。
【０００４】
【発明が解決しようとする課題】
しかしながら、上記提案に係る配電線用の圧縮クランプは、配電線の芯線をクランプ部に挿入して圧縮締結する際、シメラー（緊線装置）により配電線を張設した状態でそのクランプ部を圧縮すると、変形してしまうという現象が起きてしまう。
【０００５】
図３（ａ）を用いてさらに説明すると、ａは、上記提案に係る圧縮クランプであって、その圧縮クランプａは、一端側（図３では左端側）に、電柱（図示せず）に設けられている耐張がいしＢのＩ部からなるピンＢ′と接続するためのクレビス部１ａを有する接続用金具１を有し、その他端側に、軸心に配電線Ｌの芯線Ｌ′を挿入するための挿入穴２ａを有する直線状のクランプ部２を有して構成されている。
【０００６】
上記構成の圧縮クランプａに配電線Ｌを接続するには、圧縮クランプａの配電線Ｌ側の先端に設けられているシメラー取付部１０にシメラー（図示せず）を取付けて圧縮クランプａの軸心方向が配電線Ｌ側に向くようにし、そして、挿入穴２ａに芯線Ｌ′を挿入した後に、図示しない圧縮器を用いてクランプ部２を圧縮すると（図３（ａ）の矢印参照）、芯線Ｌ′とクランプ部２とが固定され、配電線Ｌを耐張がいしＢに接続することができる。
【０００７】
しかし、上述のクランプ部２の圧縮時には、耐張がいしＢのピンＢ′と接続用金具１のクレビス部１ａを連結する連結ピンｐ、及びシメラー取付部１０の位置がオフセット状態にあるため、圧縮後のクランプ部２の形状は、図３（ｂ）に示されるように、海老状に湾曲してしまうという欠点がある。
【０００８】
このように湾曲した圧縮クランプａは、見栄えが悪いだけでなく、絶縁カバー（図示せず）に入りにくい等の欠点があった。
【０００９】
そこで、本発明は、上記欠点を解決するためになされたものであって、その目的は、クランプ部を圧縮しても変形を生じさせないようにした緊線装置取付用金具を提供することにある。
【００１０】
【課題を解決するための手段】
本発明は、上記目的を達成するために、一方側に接続用金具を有し、他方側にその接続用金具と反対方向に開口する挿入孔を有する直線状のクランプ部を有する圧縮クランプを用いて、前記接続用金具を電柱に設けられた耐張がいしのピンに接続した状態で緊線装置により緊線して、前記クランプの挿入孔に配電線の芯線を挿入し、かつ、そのクランプ部を圧縮して、前記配電線と前記クランプ部とを締結する際に用いられる緊線装置取付用金具であって、（ａ）前記耐張がいしのピンと、そのピンに接続した状態の前記接続用金具とを挿入して前記クランプ部を後記アームと平行な姿勢に保持するポケットを有する保持部と、（ｂ）前記ポケットに挿入された前記接続用金具の脱落を防止する脱落防止具と、（ｃ）前記保持部から前記クランプ部の端部側に延長し、その先端に前記緊線装置を取り付けるための取付部を有するアームとからなり、前記配電線の芯線を前記圧縮クランプに挿入後、前記圧縮クランプを圧縮してから、前記脱落防止具を開いて前記緊線装置を取外すことを特徴としている。
【００１１】
【発明の実施の形態】
以下、本発明の実施の形態を図面に基づいて説明する。図１は、一実施の形態に係る緊線装置取付用金具（以下、「取付用金具」という。）イの斜視図、図２は、その取付用金具を用いて緊線している状態を示す正面図であるが、この取付用金具イを説明する前に、先ず、図２に示される圧縮クランプａについて説明する。なお、上記図３と同一構成要素については、同一符号を用いて説明する。
【００１２】
配電線用の圧縮クランプａは、接続用金具１とクランプ部２とから構成されている。接続用金具１は鋼製であり、一端側（図２では左側）には、電柱に設けられる耐張がいしＢのＩ部からなるピンＢ′と連結されるクレビス部１ａが設けられているとともに、他端側には、円周方向に凹凸状の多数の溝を有する軸部１ｂが設けられている。
【００１３】
クランプ部２は、アルミニウム合金製又は銅合金製（アルミニウム製又は銅製でもよい。）等の配電線Ｌの芯線Ｌ′の材質と同質ないし同種の材質からなり、所定長さの真っ直ぐな筒状を呈していて、その軸心に沿って設けられる挿入穴２ａに、接続用金具１の軸部１ｂ及び配電線Ｌの芯線Ｌ′を挿入できるように設計されている。
【００１４】
クランプ部２の挿入穴２ａの一方側（図１では左側）には、工場において、図１に示されるように、予め、接続用金具１の軸部１ｂが挿入され、プレス機械によりカシメられ、接続用金具１とクランプ部２とが一体化されている。
【００１５】
取付用金具イは、図１に示されるように、保持部１０とアーム２０とから構成されている。保持部１０は、圧縮クランプａを耐張がいしＢに接続したときのピンＢ′及び接続用金具１の端部を挿入することができる一面が開口したポケット１１を有している。
【００１６】
ポケット１１は、連結ピンｐにより接続されているピンＢ′の端部及び接続用金具１の端部を挿入できる形状と深さを有している。また、保持部１０には、ピンＢ′の軸心方向と接続用金具１（圧縮クランプａ）の軸心方向とが直線状になったときの、そのピンＢ′の軸Ｂ″（図２参照）が挿入される開口１２、及び接続用金具１の前記端部に連なる部分が挿入される開口１３が設けられている。
【００１７】
図中、１４は脱落防止具であって、保持部１０の開口１３側の一端側に支軸１４ａを介して回動自在に設けられている。この脱落防止具１４は、ポケット１１にピンＢ′及び接続用金具１が挿入されたときに開口１３を覆うように回動させたときは（図２参照）、ポケット１１からピンＢ′及び接続用金具１が外れるのを効果的に防止することができる。なお、この脱落防止具１４は、ピンＢ′の軸Ｂ″の挿入される開口１２側に設けてもよく、また、両開口１２，１３側にそれぞれ設けてもよい。
【００１８】
アーム２０は、一端側が保持部１０に一体的に結合され、他端側がその保持部１０のポケット１１に接続用金具１が挿入されたときのクランプ部２の長手方向に沿い、かつ、そのクランプ部２の長さとほぼ同じ長さを有する。そして、そのアーム２０の他端側には、シメラーを取付けるためのシメラー取付部２１が設けられている。
【００１９】
上記構成の取付用金具イを用いて緊線を行うには、先ず、脱落防止具１４を開いた状態でポケット１１にピンＢ′及び接続用金具１を挿入し、その挿入後、脱落防止具１４が閉じられる。次いで、シメラー取付部２１に図示しないシメラーを取付ける。そして、そのシメラ−を駆動して配電線Ｌの芯線Ｌ´を挿入穴２ａに挿入できるように引き寄せる。
【００２０】
挿入口２ａに芯線Ｌ′を挿入したのちに、図示しない圧縮器を用いてクランプ部２を圧縮すると（図２の矢印参照）、芯線Ｌ′とクランプ部２とが固定され、配電線Ｌを耐張がいしＢに接続することができる。
【００２１】
芯線Ｌ′がクランプ部２に固定されたのち、脱落防止具１４を開いて取付用金具イを取外す。そして、図示しない絶縁カバーで圧縮クランプａ全体を覆う。
【００２２】
以上のように、取付用金具イの上記構成により、シメラーからの緊線張力は、アーム２０を介して耐張がいしＢのピンＢ´のみに加わり、クランプ部２には加わらない。そして、クランプ部２は取付用金具イのアーム２０と平行な姿勢を保持する。従って、クランプ部２の挿入孔に芯線を挿入することが容易にできるとともに、クランプ部２は外力が加えられないので、圧縮時にクランプ部が湾曲することを効果的に防止することができる。
【００２３】
【発明の効果】
本発明に係る取付用金具は、（ａ）耐張がいしのピンと、そのピンに接続した状態の接続用金具とを挿入して後記アームをクランプ部と平行な姿勢に保持するポケットを有する保持部と、（ｂ）前記ポケットに挿入された前記接続用金具の脱落を防止する脱落防止具と、（ｃ）前記保持部からクランプ部の端部側に延長し、その先端に緊線装置を取り付けるための取付部を有するアームとからなり、前記配電線の芯線を前記圧縮クランプに挿入後、前記圧縮クランプを圧縮してから、前記脱落防止具を開いて前記緊線装置を取外すので、この取付用金具の保持部のポケットに耐張がいしのピンと、そのピンに接続した状態の接続用金具とを挿入してクランプ部をアームと平行な姿勢に保持するとともに、アームの先端の前記取付部に緊線装置を取り付けて緊線し、配電線をクランプ部に挿入して圧縮締結する際は、クランプ部に芯線を挿入することが容易にできるともに、クランプ部は緊線張力が加えられないので、圧縮時にクランプ部が湾曲することを効果的に防止することができる。また、耐張がいしのピンと、そのピンに接続した状態の接続用金具とを保持部のポケットに挿入するので、取付用金具の圧縮クランプに対する装着・取り外しが容易にできる。また、ポケットに挿入された接続用金具の脱落を防止する脱落防止具を設けたので、取付用金具が圧縮クランプから外れるのを効果的に防止することができる。
【図面の簡単な説明】
【図１】  本発明の一実施の形態に係る取付用金具の斜視図である。
【図２】  本発明に係る取付用金具を用いて緊線している状態を示す正面図である。
【図３】  本発明に係る取付用金具を用いないときの圧縮クランプの変形状態を示す説明図である。
【符号の説明】
ａ  圧縮用クランプ
１  接続用金具
１ａ  クレビス部
２  クランプ部
２ａ  挿入穴
イ  緊線装置取付用金具（取付用金具）
１０  保持部
１１  ポケット
１２，１３  開口
１４  脱落防止具
２０  アーム
２１  緊線装置取付部
Ｌ  配電線
Ｌ′  芯線
Ｂ  耐張がいし
Ｂ′  ピン
ｐ  取付ピン
【図１】
0004321939.tif 000002
【図２】
0004321939.tif 000003
【図３】
0004321939.tif 000004